(57)【要約】【課題】リーク電流を抑制でき、これにより、電池の電子回路への電力供給寿命の低下を抑制することができるバックアップ用電源回路を提供する。【解決手段】電池と電池からバックアップ用電力が供給される電子回路との間に電池側から抵抗器と電子回路へ向かう方向を順方向とする逆電流防止手段とを直列に設けた又は、電子回路へ向かう方向を順方向とする逆電流防止手段を少なくとも２つ直列に設けたバックアップ用電源回路は、キャパシタが抵抗器又は、いずれか一つの逆電流防止手段の両端子を接続先として抵抗器又は、いずれか一つの逆電流防止手段と並列に接続されている。【選択図】図１
2014212657.tif 000002
【特許請求の範囲】
【請求項１】
電池と前記電池からバックアップ用電力が供給される電子回路との間に前記電池側から抵抗器と前記電子回路へ向かう方向を順方向とする逆電流防止手段とを直列に設けた又は、前記電子回路へ向かう方向を順方向とする逆電流防止手段を少なくとも２つ直列に設けたバックアップ用電源回路であって、
キャパシタを前記抵抗器又は、いずれか一つの前記逆電流防止手段の両端子を接続先として前記抵抗器又は、いずれか一つの前記逆電流防止手段と並列に接続したことを特徴とするバックアップ用電源回路。
【発明の詳細な説明】
【技術分野】
【０００１】
電池からバックアップ用電力が供給される電子回路に接続されるバックアップ用電源回路に関する。
【背景技術】
【０００２】
電池からバックアップ用電力が供給される電子回路に接続されるバックアップ用電源回路として、特許文献１には、バックアップ用の電池に対して抵抗器を並列に接続する構成が開示されている。また、かかる構成とは別に、バックアップ用の電池に対して抵抗器を直列に接続し、かつ、電池及び抵抗器に対してキャパシタを並列に接続する構成も従来から知られている。
【０００３】
図２は、バックアップ用の電池ＶＢに対して抵抗器Ｒ１を直列に接続し、かつ、電池ＶＢ及び抵抗器Ｒ１に対してキャパシタＣ１を並列に接続する従来のバックアップ用電源回路ＢＸの一例を示している。
【０００４】
図２に示すバックアップ用電源回路ＢＸでは、バックアップ用の電池ＶＢと直列に抵抗器Ｒ１が設けられ、電池ＶＢからバックアップ用電力が供給される電子回路ＥＣと抵抗器Ｒ１との間に電子回路ＥＣへ向かう方向を順方向とする逆電流防止手段Ｄ１（具体的にはダイオード）が設けられ、電池ＶＢ及び抵抗器Ｒ１と並列にキャパシタＣ１（具体的には平滑コンデンサ）が設けられている。
【０００５】
また、バックアップ用電源回路ＢＸでは、主電源ＭＧと直列にスイッチＳＷが設けられ、電子回路ＥＣとスイッチＳＷとの間に電子回路ＥＣへ向かう方向を順方向とする逆電流防止手段Ｄ２（具体的にはダイオード）が設けられ、主電源ＭＧ及びスイッチＳＷと並列にキャパシタＣ２（具体的には平滑コンデンサ）が設けられている。
【０００６】
かかる構成を備えたバックアップ用電源回路ＢＸによると、スイッチＳＷがオン状態では、主電源ＭＧから電子回路ＥＣに電力が供給される。このとき、逆電流防止手段Ｄ１の逆電流防止作用により、主電源ＭＧから電池ＶＢへの逆流電流を阻止することができる。また、逆電流防止手段Ｄ１が何らかの要因で短絡破壊した場合、抵抗器Ｒ１の電流制限作用により、主電源ＭＧから電池ＶＢへの逆流電流を制限することができる。
【０００７】
一方、スイッチＳＷがオフ状態になると、主電源ＭＧからの電力の供給が停止され、電池ＶＢから電子回路ＥＣにバックアップ用電力が供給される。このとき、電子回路ＥＣの消費電流が何らかの要因で急激に大きくなった場合には、電池ＶＢ及び抵抗器Ｒ１と並列に接続されて電荷が蓄えられたキャパシタＣ１からの電流供給作用により、電池ＶＢの電子回路ＥＣへ供給する電圧の低下を効果的に防止することができる。
【先行技術文献】
【特許文献】
【０００８】
【特許文献１】特開２００４−２４２３９６号公報
【発明の概要】
【発明が解決しようとする課題】
【０００９】
ところで、図２に示すような従来のバックアップ用電源回路ＢＸにおいては、電子回路ＥＣにおいて消費電流が瞬間的に大きくなる場合に抵抗器Ｒ１の端子間電圧Ｖｒ１が瞬間的に大きくなるために、電子回路ＥＣへ供給する電圧の低下を防止するという観点から、電池ＶＢ及び抵抗器Ｒ１と並列にキャパシタＣ１を接続しているが、この場合、キャパシタＣ１が直接的に接地されるために、かかるキャパシタＣ１によりリーク電流（漏れ電流）Ｉｌｅａｋが発生しやすい。そうすると、電池ＶＢからの電子回路ＥＣ以外の電流の供給量が増え、ひいては電池ＶＢの電子回路ＥＣへの電力供給寿命が低下してしまうという不都合がある。このことは、リーク電流Ｉｌｅａｋの大きさに比例するキャパシタＣ１の容量が大きくなる程、顕著となる。
【００１０】
そこで、本発明は、リーク電流を抑制でき、これにより、電池の電子回路への電力供給寿命の低下を抑制することができるバックアップ用電源回路を提供することを目的とする。
【課題を解決するための手段】
【００１１】
本発明は、前記課題を解決するために、電池と前記電池からバックアップ用電力が供給される電子回路との間に前記電池側から抵抗器と前記電子回路へ向かう方向を順方向とする逆電流防止手段とを直列に設けた又は、前記電子回路へ向かう方向を順方向とする逆電流防止手段を少なくとも２つ直列に設けたバックアップ用電源回路であって、キャパシタを前記抵抗器又は、いずれか一つの前記逆電流防止手段の両端子を接続先として前記抵抗器又は、いずれか一つの前記逆電流防止手段と並列に接続したことを特徴とするバックアップ用電源回路を提供する。
【００１２】
本発明によれば、前記キャパシタを前記抵抗器又は、いずれか一つの前記逆電流防止手段の両端子を接続先として前記抵抗器又は、いずれか一つの前記逆電流防止手段と並列に接続することで、たとえ前記電子回路の消費電流が急激に大きくなっても、前記抵抗器又は、いずれか一つの前記逆電流防止手段と並列に接続されて電荷が蓄えられた前記キャパシタからの電流供給作用により、前記電池の前記電子回路へ供給する電圧の低下を効果的に防止することができる。しかも、前記キャパシタは前記電池を介して間接的に接地されており、前記キャパシタを直接的に接地することがないため、前記キャパシタによりリーク電流が漏れる直接的な経路をなくすことができ、従って、リーク電流を抑制でき、これにより、前記キャパシタのリーク電流による損失（ロス）を低減でき、それだけ、前記電池の前記電子回路への電力供給寿命の低下を抑制することが可能となる。
【発明の効果】
【００１３】
本発明によると、前記キャパシタによるリーク電流を抑制でき、これにより、前記電池の前記電子回路への電力供給寿命の低下を抑制することが可能となる。
【図面の簡単な説明】
【００１４】
【図１】本発明の実施の形態に係るバックアップ用電源回路の一例を示す回路図である。
【図２】バックアップ用の電池に対して抵抗器を直列に接続し、かつ、電池及び抵抗器に対してキャパシタを並列に接続する従来のバックアップ用電源回路の一例を示す回路図である。
【発明を実施するための形態】
【００１５】
以下、本発明に係る実施の形態について図面を参照しながら説明する。
【００１６】
図１は、本発明の実施の形態に係るバックアップ用電源回路の一例を示す回路図である。なお、図１において図２に示す従来のバックアップ用電源回路ＢＸと実質的に同じ構成要素には同一符号を付している。
【００１７】
図１に示すバックアップ用電源回路ＢＣは、抵抗器Ｒ１と、逆電流防止手段Ｄ１（具体的にはダイオード）と、キャパシタＣ１（具体的には平滑コンデンサ）とを備えている。
【００１８】
抵抗器Ｒ１は、バックアップ用の電池ＶＢと直列に接続されている。逆電流防止手段Ｄ１は、電池ＶＢからバックアップ用電力が供給される電子回路ＥＣと抵抗器Ｒ１との間に電子回路ＥＣへ向かう方向を順方向とするように接続されている。キャパシタＣ１は、抵抗器Ｒ１の両端子を接続先として抵抗器Ｒ１と並列に接続されている。
【００１９】
ここで、電池ＶＢからバックアップ用電力が供給される電子回路ＥＣとしては、特に限定されるものではないが、代表的には、ＳＲＡＭ（Static Random Access Memory）等の揮発性メモリやリアルタイムクロック（いわゆるカレンダＩＣ）といった電子回路を例示できる。
【００２０】
また、バックアップ用電源回路ＢＣは、図２に示す従来のバックアップ用電源回路ＢＸ（図２参照）と同様、主電源ＭＧと直列に接続したスイッチＳＷと、電子回路ＥＣとスイッチＳＷとの間に電子回路ＥＣへ向かう方向を順方向とするように接続した逆電流防止手段Ｄ２（具体的にはダイオード）と、主電源ＭＧ及びスイッチＳＷと並列に接続したキャパシタＣ２（具体的には平滑コンデンサ）とをさらに備えている。
【００２１】
かかる構成を備えたバックアップ用電源回路ＢＣによると、図２に示す従来のバックアップ用電源回路ＢＸと同様、スイッチＳＷがオン状態では、主電源ＭＧから電子回路ＥＣに電力が供給される。このとき、逆電流防止手段Ｄ１の逆電流防止作用により、主電源ＭＧから電池ＶＢへの逆流電流を阻止することができる。また、逆電流防止手段Ｄ１が何らかの要因で短絡破壊した場合、抵抗器Ｒ１の電流制限作用により、主電源ＭＧから電池ＶＢへの逆流電流を制限することができる。
【００２２】
一方、スイッチＳＷがオフ状態になると、主電源ＭＧからの電力の供給が停止され、電池ＶＢから電子回路ＥＣにバックアップ用電力が供給される。このとき、電子回路ＥＣの消費電流が何らかの要因で急激に大きくなった場合には、抵抗器Ｒ１のみに並列に接続されて電荷が蓄えられたキャパシタＣ１からの電流供給作用により、電池ＶＢの電子回路ＥＣへ供給する電圧の低下を効果的に防止することができる。
【００２３】
以上説明したバックアップ用電源回路ＢＣによれば、キャパシタＣ１を抵抗器Ｒ１の両端子を接続先として抵抗器Ｒ１と並列に接続することで、たとえ電子回路ＥＣの消費電流が急激に大きくなっても、抵抗器Ｒ１と並列に接続されて電荷が蓄えられたキャパシタＣ１からの電流供給作用により、電池ＶＢの電子回路ＥＣへ供給する電圧の低下を効果的に防止することができる。しかも、キャパシタＣ１は電池ＶＢを介して間接的に接地されており、キャパシタＣ１を直接的に接地することがないため、キャパシタＣ１によりリーク電流が漏れる直接的な経路をなくすことができ、従って、リーク電流を抑制でき、これにより、キャパシタＣ１のリーク電流による損失（ロス）を低減でき、それだけ、電池ＶＢの電子回路ＥＣへの電力供給寿命の低下を抑制することができる。このことは、特に、キャパシタＣ１の容量が大きくなる程、リーク電流Ｉｌｅａｋが大きくなる、図２に示すような従来のバックアップ用電源回路ＢＸに比べて有利となる。
【００２４】
ところで、図２に示すような従来のバックアップ用電源回路ＢＸでは、キャパシタＣ１は直接的に接地されるので、キャパシタＣ１として大きな容量のものを選択すると、それだけリーク電流Ｉｌｅａｋが大きくなるため、電池ＶＢの電子回路ＥＣへの電力供給寿命に与える影響が大きくなり、また、例えば、キャパシタＣ１に積層セラミックコンデンサを用いる場合、該コンデンサの印加電圧によって、該コンデンサの容量が低下するという短所がある。従って、従来のバックアップ用電源回路ＢＸでは、キャパシタＣ１の種類を選択するにあたって設計の自由度が低い。
【００２５】
この点、本実施の形態に係るバックアップ用電源回路ＢＣでは、キャパシタＣ１は電池ＶＢを介して間接的に接地されるので、キャパシタＣ１として大きな容量のものを選択しても、リーク電流を抑制できるため、電池ＶＢの電子回路ＥＣへの電力供給寿命に与える影響を小さくでき、また、例えば、キャパシタＣ１に積層セラミックコンデンサを用いる場合には、該コンデンサの印加電圧Ｖｃは低いので、該コンデンサの容量の低下を抑えることができる。従って、本実施の形態に係るバックアップ用電源回路ＢＣでは、キャパシタＣ１の種類を選択するにあたって設計の自由度を向上させることが可能となる。
【００２６】
本発明は、以上説明した実施の形態に限定されるものではなく、他のいろいろな形で実施することができる。例えば、抵抗器Ｒに替えて逆電流防止手段としても良い。さらに、キャパシタＣ１を抵抗器Ｒ１の両端子を接続先として抵抗器Ｒ１に並列に接続することに代えて逆電流防止手段Ｄ１の両端子を接続先として逆電流防止手段Ｄ１に並列に接続しても良い。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００２７】
ＢＣ        バックアップ用電源回路
Ｃ１        キャパシタ
Ｃ２        キャパシタ
Ｄ１        逆電流防止手段
Ｄ２        逆電流防止手段
ＥＣ        電子回路
ＭＧ        主電源
ＳＷ        スイッチ
Ｉｌｅａｋ  リーク電流（漏れ電流）
Ｒ１        抵抗器
ＶＢ        バックアップ用の電池（電池の一例）
Ｖｃ        印加電圧
Ｖｒ１      端子間電圧
【図１】
2014212657.tif 000003
【図２】
2014212657.tif 000004